(57)【要約】【課題】試料液吸引の際の吸引流路内の圧力の変化率により吸引流路の詰まり等を検知する方法を採用する場合に、吸引し始めた際の吸引流路内の圧力の上昇を抑え、流路の詰まり等の誤検知がされることのないチップ１０を提供し、該チップ１０を備えることにより、効率のよい試料液吸引装置及び生体成分測定システムを提供する。【解決手段】少なくとも試料液を吸引する小孔部分が親水性を有するチップ１０を用いれば、吸引し始めた際の吸引流路内の圧力の上昇を抑えられるので、流路の詰まりあるいは吸引不足と誤検知されることなく試料液の吸引が行える。また、該チップ１０を備えた試料液吸引装置及び生体成分測定システムでは、試料液の吸引の判定が正確に行われ、効率がよい。【選択図】  図１
2005043183.tif 000002
【特許請求の範囲】
【請求項１】
試料液を所定量吸引する試料液吸引装置で用いられるチップであって；
先端部に前記試料液を吸引する小孔が形成され、少なくとも前記小孔部分が親水性を有するチップ。
【請求項２】
試料液を所定量吸引する試料液吸引装置で用いられるチップであって；
先端部に前記試料液の通過する小孔が形成され、少なくとも前記小孔部分をプラズマ処理したチップ。
【請求項３】
外形が逆錐形状をしている、請求項１又は請求項２に記載のチップ。
【請求項４】
請求項１乃至請求項３のいずれか１項に記載のチップと；
前記チップに試料液を吸引するための吸引ポンプとを備える：
試料液吸引装置。
【請求項５】
前記試料液を吸引するときの圧力を検知する圧力検知装置と；
前記検知した圧力から圧力の変化率を演算する演算部と；
前記演算した圧力の変化率と閾値とを比較する比較部とを備える；
請求項４に記載の試料液吸引装置。
【請求項６】
請求項４又は請求項５に記載の試料液吸引装置と；
前記試料液吸引装置により吸引された試料液と試薬とを混合した検体を反応させ、反応後の検体を測定する生体成分測定装置とを備える；
生体成分測定システム。
【発明の詳細な説明】
【０００１】
【発明の属する技術分野】
本発明は、試料液を所定量吸引する試料液吸引装置で用いられるチップ、該チップを有する試料液吸引装置、該吸引装置を備える生体成分測定システムに関する。特に、親水性を有するチップに関する。
【０００２】
【従来の技術】
臨床検査の分野においては、生体から採取された血液の血清、血漿あるいは尿などの液体検体（試料液、又はサンプル）を反応容器（測定カートリッジ）に分注し、即ち所定量ずつ取り分け、種々の検査を行うことが多い。その際、試料液はサンプル容器に入れられて、サンプルラックにセットされ検査工程に回される。そして、試料液の所定の検査を行うためサンプルラックは試料液吸引装置を備えた免疫測定装置にセットされる。
【０００３】
サンプルラックが免疫測定装置にセットされてから、免疫測定装置に備え付けられているチップヘッド移送手段により、チップヘッドにチップを取付ける。更に、チップヘッド移送手段によりチップの先端がサンプル容器の試料液の中に浸され、吸引ポンプが作動し、サンプル容器からチップ内へ試料液が所定量吸引される。吸引された試料液は、チップから反応容器等へ分注される。
【０００４】
しかし、試料液にフィブリンなどの固形物が含有されていた場合には、固形物がチップの微小な吸入孔に吸着して閉塞状態を引き起こし、チップに所定量の試料液が吸引されず、以降の検査において正しい結果が得られないことがある。そのため、サンプル容器からチップへ試料液が正しく吸引されているか否かを監視する必要がある。
【０００５】
そこで、サンプル容器からチップへ試料液が正しく吸引されているか否かを監視する方法として、試料液吸引の際の吸引流路内の圧力を測定し、その変化率を演算し、演算された変化率と、吸引量に応じて設定された変化率の閾値とを比較することにより吸引流路の詰まりあるいは吸引不足を検知する方法がある。（特許文献１参照）
【０００６】
【特許文献１】特開２０００−４６８４６号公報  （第２−３頁）
【０００７】
【発明が解決しようとする課題】
しかし、試料液を吸引し始めた際に、正常に吸引されているにも拘らず、試料液とチップとの相互作用によって吸引流路内の圧力値が上昇し、変化率が大きくなり、閾値を超えてしまって、吸引流路の詰まりあるいは吸引不足と誤検知してしまうことがある。そこで、本発明は、吸引し始めた際の吸引流路内の圧力の上昇を抑え、流路の詰まりあるいは吸引不足と誤検知されることなく吸引が行えるチップを提供することを目的とする。また、該チップを備えることにより、試料液の吸引の判定が正確に行われ、効率のよい試料液吸引装置及び生体成分測定システムを提供することを目的とする。
【０００８】
【課題を解決するための手段】
上記の目的を達成するため、請求項１に記載の発明に係る試料液を所定量吸引する試料液吸引装置で用いられるチップ１０は、例えば図１に示すように、先端部に試料液を吸引する小孔１１が形成され、少なくとも小孔部分が親水性を有している。
【０００９】
このように構成すると、チップ先端の小孔から試料液を吸引し始めたときにも、チップの小孔部分が親水性を有しているので、試料液が小孔を通過することに対する抵抗は小さい。よって、試料液吸引装置で試料液を吸引し始めた際の吸引流路内の圧力の上昇を抑えることができる。
【００１０】
また、前記の目的を達成するため、請求項２に記載の発明に係る試料液を所定量吸引する試料液吸引装置で用いられるチップ１０は、例えば図１に示すように、先端部に試料液の通過する小孔１１が形成され、少なくとも小孔部分をプラズマ処理している。
【００１１】
このように構成すると、チップの小孔部分がプラズマ処理されているので、親水性を有する。そのために、チップ先端の小孔から試料液を吸引し始めたときにも、試料液が小孔を通過することに対する抵抗は小さく、試料液を吸引し始めた際の吸引流路内の圧力の上昇が抑えられる。
【００１２】
また、前記の目的を達成するため、請求項３に記載の発明に係るチップでは、
例えば図１に示すように、外形が逆錐形状をしている。
【００１３】
このように構成すると、チップを移動し、チップから試料液を吸引するときに、チップの断面の大きな部分が固定されることによってチップが安定する。また、チップ全体の強度を向上することができ、チップの先端で容器の蓋等を突き破るときにも突き破り易い。更に、微量から多量の試料液の分注においても、精度よく確実に行うことができる。
【００１４】
また、請求項４に記載の発明に係る試料液吸引装置１００では、例えば図３に示すように、請求項１乃至請求項３のいずれか１項に記載のチップ１０と、チップ１０に試料液を吸引するための吸引ポンプ２１とを備える。
【００１５】
このように構成すると、吸引し始めた際の吸引流路内の圧力の上昇を防ぐチップを備えた試料液吸引装置となるので、吸引し始めた際の吸引流路内の圧力上昇のが抑えられ、流路の詰まりあるいは吸引不足と誤検知されることがなく、効率のよい試料液吸引装置が提供される。
【００１６】
更に、請求項５に記載の発明に係る試料液吸引装置１００は、例えば図３に示すように、試料液を吸引するときの圧力を検知する圧力検知装置３１と、検知した圧力から圧力の変化率を演算する演算部１０５ａと、演算した圧力の変化率と閾値とを比較する比較部１０５ｂとを備える。
【００１７】
このように構成すると、吸引し始めた際の吸引流路内の圧力の上昇を防ぐチップを備えつつ、試料液を吸引するときの吸引流路内の圧力の変化率が求められ、該変化率と閾値とが比較されるので、試料液が正常に吸引されているかを判定しながら吸引する試料液吸引装置が提供される。
【００１８】
また、請求項６に記載の発明に係る生体成分測定システム１５０は、例えば図４に示すように、請求項４又は請求項５に記載の試料液吸引装置１００と、試料液吸引装置１００により吸引された試料液と試薬とを混合した検体を反応させ、反応後の検体を測定する生体成分測定装置１１０とを備える。
【００１９】
このように構成すると、流路の詰まりあるいは吸引不足と誤検知される問題点がほぼ解決されて、効率のよい生体成分測定システムが提供される。
【００２０】
【発明の実施の形態】
以下、図面を参照して、本発明の実施の形態について説明する。なお、各図において、互いに同一又は相当する装置には同一符号を付し、重複した説明は省略する。
【００２１】
先ず、図１の断面図を参照して、本発明に係る試料液を所定量吸引する試料液吸引装置で用いられるチップ（以下、単に「チップ」という。）について説明する。チップ１０は、全体として細長い中空逆円錐状に形成されている。その尖形をした先端部には小孔１１が形成されている。小孔１１は、チップ１０の全長を貫く中空部１２と連接している。中空部１２は断面の大きな大径側１３でも開口しており、試料液吸引装置のチップヘッドに嵌合される。チップ１０は大径側１３で、その剛性を増すためにリブが設けられており、また、肉厚を増すので僅かな段差もついている。このような形状とすることで、チップ１０は試薬を収納する容器等の硬い蓋を突き破って試料液の吸入、吐出を行うことができる。更に、チップ１０には、大径側端部１３に縁がつけられており、チップ１０をチップヘッドから取り外し易いように形成されている。
【００２２】
チップ１０の形状は、上記には限られず、他の逆錐形状でもよく、あるいは、先端部に小孔を有する中空形状であれば、例えば、断面の円形の直径がほぼ一様な中空円筒として、その先に小孔を形成してもよい。しかし、逆錐形状とすることが精度の高い、確実な分注を行う上で好ましい。
【００２３】
チップ１０は、ポリプロピレン、ポリエチレン、ポリスチレンなどの高分子材料で形成される。特にポリプロピレンで形成するのが、形成し易く、またその材料費が低廉であるので好適である。これらの高分子材料は、一般的に撥水性を示す。
【００２４】
続いて、図２の断面図を参照して、チップ１０で試料液３を吸引する際の作用について述べる。チップ１０の先端は、試料液３の中に浸されている。その状態で吸引ポンプを作動させると、管路を通じて中空部１２の空気が引かれ、チップ１０の先端部の小孔１１から試料液３が中空部（液収容空間）１２に吸引されようとする。
【００２５】
すると、図２（ａ）に示すように、小孔１１から吸引されようとする試料液３は、チップ１０内面の小孔１１部分の表面の撥水性のため、チップ１０の内表面に接することなく、中央部だけが引かれて盛り上がってくる。即ち、チップ１０の内表面の撥水性のために、小孔１１の入口で内表面に接する試料液３表面の外周が下方向に押さえつけられているのと同じ状態となる。このように、試料液３の表面がチップ１０の内表面に触れて、水平な液面を形成するよりも、試料液３が小孔を通って液収容空間１２に入るために大きな抵抗を受ける。なお、一旦試料液３が液収容空間１２に入ると、液収容空間１２の断面積が増し、試料液３とチップ１０内面との間に生ずる影響は相対的に減少することになり、大きな抵抗は生じないものと考えられる。
【００２６】
しかし、図２（ｂ）のように、チップ１０の小孔１１部分が親水性材料で形成されていると、試料液３は小孔１１からチップ１０の内表面に触れて、ほぼ水平な液面を形成しつつ、液収容空間１２へ入る。したがって、試料液３が小孔１１を通って液収容空間１２に入るための抵抗は小さくなる。
【００２７】
そのため、撥水性材料である高分子材料で形成されたチップ１０をプラズマ処理することにより、表面を改質し、親水性を持たせる。すると、このチップ１０は親水性を有することになり、試料液３を吸引し始めるときの試料液３の吸引に対する抵抗が小さくなる。チップ１０に親水性を持たせるためには、チップ１０の全体にわたってプラズマ処理により親水性を持たせる必要はなく、小孔１１の近傍だけに親水性を持たせてもよい。プラズマ処理による表面改質方法としては、周知の方法を利用することができ、例えばプラズマ発生装置のチャンバー内に表面を改質する材料を入れ、チャンバー内を目的に応じた気体で満たし、その後にチャンバー内に高電圧をかけてプラズマを発生させ、発生したプラズマを材料表面と反応させる方法を挙げることができる。材料の親水化を目的とした場合、チャンバー内を満たす気体は特に限定されないが、例えば酸素を使用することが好ましい。
【００２８】
親水性を有するチップとは、撥水性を示さず、例えばチップ表面と水との接触角が８０度より小さな角度、好ましくは６０度より小さな角度の性状を示すチップである。曲面で構成されるチップ表面と水との接触角の測定は、例えばＪＩＳ３２５７に記載された方法を応用して実施することができる。
【００２９】
小孔１１から試料液３を吸引する際の抵抗は、より具体的には、次のように評価される。試料液３を吸引するための中空部１２の圧力（負圧）を測定する。チップ１０にて試料液３を吸引するための抵抗が大きいと、この圧力（負圧）が大きくなる。また、定常的に吸引しても、試料液３の流体抵抗があるので、圧力は一定の値を示す。しかし、時間当たりの圧力の変化率（圧力の増加）を演算すると、変化率は０（ゼロ）となる。また、吸引流路に詰まりが生じたときには圧力の増加が短時間で生ずるので、その間の変化率は大きくなる。そこで変化率を見れば、抵抗が大きいときと小さいときとの差異がより顕著になる。よって、測定された圧力の時間毎の変化率を演算して、抵抗を評価する。
【００３０】
チップ１０で試料液３を吸引するときの圧力あるいは変化率は、前記のチップ１０で試料液３を吸引する際の抵抗の他に、試料液３を吸引する速さ及び吸引する容量により異なる。そこで、ある一定の擬似試料液３を用いて、詰まりが発生しないで吸引する際の圧力の変化率を実測し、その実測値を基に閾値を設定する。該閾値と演算された変化率とは、圧力／時間の単位で求める必要はなく、演算された信号の単位、即ち電圧値としてもよい。
【００３１】
次に、図３の構成図を参照して、チップ１０を備えた試料液吸引装置１００について説明する。先ず、チップヘッド移動手段４１は、制御部１０５からの信号を受け、チップヘッド１９をチップ１０の大径側開口部１３に挿入するように、移動させる。
【００３２】
チップヘッド１９は、その外径がチップ１０の大径側開口部１３の内径にしっくりと嵌るように形成されており、チップ１０とチップヘッド１９とは嵌合される。また、チップ１０は、チップヘッド１９と嵌合する部分で、剛性を高め、肉厚を増しており、チップヘッド１９と一体化したときに、付け根で変形しにくい構造となっている。したがって、試料液３や試薬を収容する容器の膜状の蓋を突き破ることができる。チップヘッド１９は、管路２０を通じて、吸引ポンプ２１に連接されている。
【００３３】
チップ１０を嵌合すると、制御部１０５の信号に従って、チップヘッド移動手段は、チップ１０の先端を不図示のサンプル容器中の試料液３に浸るように移動させる。
【００３４】
吸引ポンプ２１は、典型的には、シリンジで構成されている。管路２０はシリンジのシリンダのノズルに連接され、シリンジのピストンを引くことにより、管路２０を経由してチップ１０の先端の小孔１１から試料液３が吸引される。また、ピストンを押し戻すことにより、チップ１０内の試料液３を吐出する。チップ１０の小孔１１の径が小さいので、ピストンを停止していれば、試料液３は小孔１１から垂れない。
【００３５】
吸引ポンプ２１即ちシリンジは、ポンプ駆動手段２２により駆動される。ポンプ駆動手段２２は、制御部１０５からの信号に応じて、吸引ポンプ２１を駆動する。ポンプ駆動手段２２は、典型的にはステップモータを備え、シリンジのピストンを所定量だけ引き出し、また、押し戻すことにより、所定量の試料液３をチップ１０に吸引し、吸引した試料液を所定量だけ吐出する。
【００３６】
管路２０には、圧力を検知するための圧力センサー３１が設置されている。管路２０は、チップヘッド１９を経て、チップ１０と連通しているので、管路２０の圧力は、チップ１０の中空部１２の圧力と一致している。圧力センサー３１で試料液３を吸引中の圧力を測定し、測定された圧力値は、アンプ３２で増幅された上で、制御部１０５へ伝達される。
【００３７】
制御部１０５の演算部１０５ａでは、伝達された圧力値を時間微分し、変化率を演算する。圧力変化率は、微分回路により圧力値を微分して求めてもよいし、連続的に時間微分しないで、所定の時間間隔ごとに圧力値の差を求めて、その差を時間間隔で除して変化率を求めてもよい。なお、制御部の演算部１０５ａ並びに後述の記憶部及び比較部１０５ｂは、制御部の部分として別体である必要はなく、ソフトウェアによりコンピュータ上で所定の機能が構築されていてもよい。
【００３８】
更に、制御部１０５の記憶部（不図示）では、吸引量に対応して決定された変化率の閾値を記憶している。この閾値は、固形物が小孔１１を閉塞することにより、吸引中に試料液３が正常に流れず、吸引圧力が高くなったか否かを判定するために用いられる。変化率の閾値は、制御部１０５で記憶されずに、例えば、ある電圧値として可変変圧器により設定されていてもよい。これも記憶の一形態である。
【００３９】
前記の演算された変化率と閾値との比較は、次のように行うこともできる。チップ１０の小孔１１を完全に閉塞した状態で吸引ポンプ２１を作動させ、管路２０の圧力を測定して求めた変化率の最大値である最大変化率を記憶しておく。最大変化率は、吸引する内容積と吸引する速さにより定まる値である。また、吸引するときの圧力値は、同様に、吸引する内容積と吸引する速さにより影響され、圧力の変化率も影響を受ける。そこで、演算された変化率の上記最大変化率に対する割合を演算し、閾値も許容される変化率の上記最大変化率に対する割合で記憶すると、吸引する内容積と吸引する速さ毎に、変化率の最大変化率に対する割合という無次元化した値で評価することができる。これらの比較は制御部１０５の比較部１０５ｂにて行われる。
【００４０】
演算された変化率が閾値を超えた場合には、試料液３の吸引が正常に行われていないと判断され、エラーメッセージが出される。一方、試料液３の吸引中に圧力の変化率が閾値を超えなければ、吸引は正常に行われたものと判断され、制御部１０５よりチップヘッド移動手段４１にチップヘッドを移動するよう信号が送られる。すると、チップヘッド移動手段４１は、チップ１０を試料液３を収容するサンプル容器の位置から不図示の免疫測定カートリッジの位置まで移動させる。
【００４１】
免疫測定カートリッジには、試薬を入れた１又は２以上の容器が備えられており、チップ１０はそれらのうち試料液３を入れる容器に挿入される。免疫測定カートリッジの容器にチップ１０の先端が挿入されると、制御部１０５からの信号により、ポンプ駆動手段２２が吸引ポンプ２１のピストンを所定量押しもどし、免疫測定カートリッジの容器中に所定量の試料液３を注入する。なお、チップ１０は１回の使用毎に新しいチップと交換される。即ち、試料液の吐出後に、不図示のディスポーザル部にて、チップヘッド移動手段４１により、チップ１０は縁が爪に掛けられて、チップヘッド１９から取り外される。
【００４２】
続いて、図４の構成図を参照して、試料吸引装置１００を備える生体成分測定システムとしての免疫反応測定システム１５０について説明する。図４は、酵素免疫測定法（ＥＩＡ法）を行う免疫反応測定システムの概略構成を表している。以下では、２ステップサンドイッチ法にて抗原検出のための測定を行うものとして説明する。
【００４３】
図４では、試料液吸引装置１００は、吸引ポンプ２１、ポンプ駆動手段２２、圧力センサー３１、チップヘッド１９などを有する吸引分注部１１６ａと、吸引分注部１１６ａを移動可能に支持するガイド１１６ｇと、制御部１０５とで構成されている。チップ１０は、チップ収容部１１３に多数収容されており、吸引分注部１１６ａが移動することにより、吸引ポンプに連接される。チップ１０を備えた吸引分注部１１６ａが、サンプルラック１１２に収容されたサンプル容器１４４から試料液３を吸引する。
【００４４】
免疫測定カートリッジ２はカートリッジケース１に収容されている。チップ１０に吸引された試料液３は、免疫測定カートリッジ２の一つの容器に注入される。試料液を注入された免疫測定カートリッジ２は、カートリッジ移動装置１３２及びカートリッジ運搬装置１３３により反応ライン部１１１に送られる。
【００４５】
反応ライン部１１１に沿って、試薬収容部１１５、吸引分注攪拌部１１６ｂ、ｃ、攪拌部１１７ａ、磁気分離部１１８ａ，ｂ、洗浄部１１９ａ，ｂ、測定部１２０及び排出部１２１が配置され、免疫反応測定システムの一部としての免疫反応（生体成分）測定装置１１０を構成している。
【００４６】
免疫測定カートリッジ２の容器中に分注された試料液３は、容器中に予め入れられた試薬と混合し、攪拌部１１７ａで共に攪拌され、一次免疫反応し、固相を形成する。固相は抗原を化学的にあるいは物理的に結合させた磁性体を含む粒子である。磁性体を含む粒子は、外部磁力によりバインド／フリー（Ｂ／Ｆ）分離を容易に行えるため、好適に用いられる。所定の時間のインキュベーション後、磁気分離部１１８ａで、混合液の反応物（バインド；Ｂ）と未反応の抗原（フリー；Ｆ）との分離が磁気的に行われ、洗浄部１１９ａで未反応の抗原が洗浄除去される。
【００４７】
免疫測定カートリッジ２の試料液３を注入された容器以外の容器に、標識抗体が入れられている。混合物の反応物の入った容器に、該標識抗体が吸引分注攪拌部１１６ｂにより分注され、二次免疫反応が起こる。所定の時間のインキュベーション後、磁気分離部１１８ｂにより反応物（バインド；Ｂ）と未反応の標識抗体（フリー；Ｆ）とのＢ／Ｆ分離を行い、その後洗浄部１１９ｂにて未反応の標識抗体が洗浄除去される。
【００４８】
試薬収容部１１５には、例えば、発光基質液が収容されている。混合物の反応物の入った容器に、発光基質液が吸引分注攪拌部１１６ｃにより分注され、攪拌される。所定の時間のインキュベーション後、測定部１２０に送られた免疫測定カートリッジ２は、フォトンカウンターで発光量を測定される。測定終了後、免疫測定カートリッジ２は、排出部１２１より廃棄される。
【００４９】
測定結果は、測定部１２０より制御部１０５に送られ、出力部１０３より、プリントアウトされ、ハードディスクに保存され、また、必要に応じ、ネットワークを通じて出力される。なお、図４では、制御部１０５と測定部１２０との間の関連だけを図示し、他は省略しているが、制御部１０５は、試料液吸引装置１００中及び免疫反応測定装置１１０中の各部等と関連し、動作を制御している。
【００５０】
上記の免疫反応測定システムにおいては、親水性を有するチップを用いているので、試料液３を吸引するときに、吸引し始めた際の吸引流路内の圧力の上昇が抑えられ、流路の詰まりあるいは吸引不足との誤検知がないので、試料液３を正常に吸引できたかの判断が正確に行われる。したがって、流路の詰まり等がないにも拘らず、異常な吸引との誤った判断をされず、効率よく測定を行うことができる。
【００５１】
以上の実施例では、２ステップサンドイッチ法による抗原検出のための測定システムについて述べたが、本発明に係る生体成分測定システムは、１ステップ法にも対応することができ、また、放射免疫測定法など他の免疫反応測定法にも好適に用いられる。更に、免疫反応には限られず、例えば、尿に試薬を加えて尿中のたん白質の量を測定するような、生体成分に試薬を加えて反応を調べる測定にも好適に用いられる。これらの測定方法の選択は、入力部１０２より指示される。
【００５２】
【実施例】
以下、実施例及び参考例を用いて、本発明のチップを更に具体的に説明する。
【００５３】
実施例及び参考例においては、全長５０ｍｍ、小径部外径１ｍｍ、小孔径０．４６ｍｍ、大径側内径５．６ｍｍのポリプロピレン製チップを用いた。チップのプラズマ処理は、Ｍｉｃｒｏｌｉｎｅ／ＩＰＣ社製プラズマ処理装置を用いた。ガラス製シャーレに乗せたチップをチャンバー内に入れた後、チャンバー内を酸素置換して、酸素分圧を８９．３Ｐａとした。その上で、２５Ｗ、５０Ｗあるいは１００Ｗの出力で１分間のプラズマ処理を行った。
【００５４】
試料液は、健常人の尿を用いた。チップを試料液吸引装置に装着し、チップ先端を試料液液面より数ｍｍの位置まで下降させ、試料液１０μｌを吸引した。比較のため、参考例として、プラズマ処理をしないチップ（未処理チップ）を用いて、同様の吸引を行った。
【００５５】
試料液吸引中の管路の圧力を圧力センサーで測定し、時間微分して圧力の変化率を求めた。正常に試料液を吸引しているときの圧力の変化率の値より大きな閾値を設定し、圧力の変化率が閾値を超えるか否かを調べた。先ず、未処理チップを用い２０回の吸引を行い、閾値を超えるか否かを調べ、続いて、２５Ｗの出力でプラズマ処理したチップ、５０Ｗの出力でプラズマ処理したチップ、１００Ｗの出力でプラズマ処理したチップの順でそれぞれ２０回ずつ調べた。更に、未処理チップを用いて、２０回の測定を２セット行った。
【００５６】
図５及び図６に未処理チップ及びプラズマ処理したチップを用いて吸引した場合の圧力の変化率の波形の一例を示す。図５及び図６において、横軸は時間を、縦軸は圧力の変化率に対応した電圧を表す。未処理チップを用いた場合（図５）に比べて、プラズマ処理したチップを用いた場合（図６）では、吸引し始めた時の圧力の変化率の上昇が小さくなっていることが分かる。
【００５７】
図７に圧力の変化率が設定した閾値を超える頻度の測定結果を示す。未処理チップを用いて吸引した場合には、圧力の変化率が必ずしも閾値を超えるわけではないが、２０回の測定毎において３０％以上の頻度で閾値を超え、全体（６０回の測定）では、ほぼ半数（２８回）が閾値を超えた。それに対し、プラズマ処理したチップを用いて吸引した場合には、プラズマ処理の出力に関わらず、閾値を超えることはなかった。
【００５８】
【発明の効果】
以上のように、少なくとも試料液を吸引する小孔部分に親水性を有するチップを用いれば、吸引し始めた際の吸引流路内の圧力の上昇を抑えられるので、流路の詰まりあるいは吸引不足と誤検知をされる問題がほぼ解決される。また、該チップを備えた試料液吸引装置及び生体成分測定システムでは、試料液の吸引の判定が正確に行われ、効率がよい。
【図面の簡単な説明】
【図１】本発明に係る試料液を所定量吸引する試料液吸引装置で用いられるチップの断面図である。
【図２】チップから試料液を吸引し始めたときの吸引される液面を説明する断面図である。
【図３】本発明に係る試料液吸引装置の構成を説明する構成図である。
【図４】本発明に係る生体成分測定システムの構成を説明する構成図である。
【図５】未処理チップを用いた場合の圧力の変化率の時間毎の値を示すグラフである。
【図６】プラズマ処理したチップを用いた場合の圧力の変化率の時間毎の値を示すグラフである。
【図７】圧力の変化率が閾値を超える頻度の測定結果を示す表である。
【符号の説明】
２          免疫測定カートリッジ
１０        試料液を所定量吸引する試料液吸引装置で用いられるチップ
１１        小孔
２０        管路
２１        吸引ポンプ
２２        ポンプ駆動手段
３１        圧力センサー
４１        チップヘッド移動手段
１００      試料液吸引装置
１０５      制御部
１０５ａ    演算部
１０５ｂ    比較部
１１０      生体成分測定装置
１１２      サンプルラック
１４４      サンプル容器
１５０      生体成分測定システム（免疫反応測定システム）
【図１】
2005043183.tif 000003
【図２】
2005043183.tif 000004
【図３】
2005043183.tif 000005
【図４】
2005043183.tif 000006
【図５】
2005043183.tif 000007
【図６】
2005043183.tif 000008
【図７】
2005043183.tif 000009